(57)【要約】【課題】  所定のエリアにのみ放送される放送波からリンクデータを自動的に取得し、そのリンクデータに基づいて関連データを表示してネットワーク上の詳細な情報を簡易に閲覧することができる情報提供システム、その方法、放送提供装置、端末装置およびセンタ装置を提供する。【解決手段】  放送提供装置２は、放送波出力装置１から所定のエリアに放送波を送信し、端末装置３は、受信した放送からリンクデータを取得し、そのリンクデータに基づいて放送提供装置２に記憶されているリンクデータと対応する関連データを取得して表示する。【選択図】  図１
2005269171.tif 000002
【特許請求の範囲】
【請求項１】
所定のエリアに放送を行う放送波出力装置と、その放送波出力装置に接続される放送提供装置と、その放送提供装置とネットワークを介して接続されている端末装置とを含む情報提供システムであって、
前記放送提供装置は、関連データをその関連データへのリンクデータと対応付けて登録するための関連データベースと、
前記関連データおよび前記リンクデータを前記関連データベースに登録する関連データ登録手段と、を備え、
前記放送波出力装置は、所定のエリアでのみ受信可能な放送に用いられる放送波を出力する放送波出力手段を備え、
前記端末装置は、前記放送波出力装置の前記放送波出力手段により出力される前記放送波を受信することが可能なエリアであるか否かを検知する受信可能エリア検知手段と、
前記放送波出力装置の前記放送波出力手段により出力される前記放送波を受信する放送波受信手段と、
前記放送波受信手段により受信される前記放送波が用いられる前記放送の放送データから前記関連データへのリンクデータを取得するリンクデータ取得手段と、
前記リンクデータ取得手段により取得される前記リンクデータに基づいて前記放送提供装置の前記関連データベースを検索して前記リンクデータと対応付けられている前記関連データを取得する関連データ取得手段と、
前記関連データ取得手段により取得される前記関連データを表示する関連データ表示手段と、
を備えることを特徴とする情報提供システム。
【請求項２】
所定のエリアに放送を行う放送波出力装置と、その放送波出力装置に接続される放送提供装置と、その放送提供装置とネットワークを介して接続されている端末装置とを含む情報提供システムであって、
前記放送提供装置は、関連データをその関連データへのリンクデータと対応付けて登録するための関連データベースと、
前記関連データおよび前記リンクデータを前記関連データベースに登録する関連データ登録手段と、
前記端末装置の基礎データ送信手段により送信される基礎データを受信する基礎データ受信手段と、
前記基礎データ受信手段により受信される前記基礎データを解析して前記関連データへのリンクデータを抽出するリンクデータ解析手段と、
前記リンクデータ解析手段により抽出される前記リンクデータに基づいて前記関連データベースを検索して前記リンクデータと対応付けられている前記関連データを入手する関連データ入手手段と、
前記関連データ入手手段により入手される前記関連データを前記端末装置に送信する関連データ送信手段と、を備え、
前記放送波出力装置は、所定のエリアでのみ受信可能な放送に用いられる放送波を出力する放送波出力手段を備え、
前記端末装置は、前記放送波出力装置の前記放送波出力手段により出力される前記放送波を受信することが可能なエリアであるか否かを検知する受信可能エリア検知手段と、
前記放送波出力装置の前記放送波出力手段により出力される前記放送波を受信する放送波受信手段と、
前記放送波受信手段により受信される前記放送波が用いられる前記放送の放送データから前記関連データへのリンクデータを解析するために用いられる前記関連データへのリンクデータを含む基礎データを取得する基礎データ取得手段と、
前記基礎データ取得手段により取得される前記基礎データを前記放送提供装置に送信する前記基礎データ送信手段と、
前記放送提供装置の前記関連データ送信手段により送信される前記関連データを受信する関連データ受信手段と、
前記関連データ受信手段により受信される前記関連データを表示する関連データ表示手段と、
を備えることを特徴とする情報提供システム。
【請求項３】
所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を含む情報提供システムであって、
前記放送提供装置は、関連データをその関連データへのリンクデータと対応付けて登録するための関連データベースと、
前記関連データおよび前記リンクデータを前記関連データベースに登録する関連データ登録手段と、を備え、
放送波を受信可能な所定のエリアデータと、放送波が用いられる前記放送の放送内容データおよび／または放送時間データを前記センタ装置に送信する放送詳細データ送信手段と、を備え、
前記センタ装置は、前記放送提供装置の前記関連データ送信手段により送信される前記エリアデータと、前記放送内容データおよび／または前記放送時間データを受信する放送詳細データ受信手段と、
前記放送詳細データ受信手段により受信した前記エリアデータと、前記放送内容データおよび／または前記放送時間データをそれぞれ対応付けて登録するための放送詳細データベースと、
前記エリアデータと、前記放送内容データおよび／または前記放送時間データを前記放送詳細データベースに登録する放送詳細データ登録手段と、を備え、
前記放送波出力装置は、所定のエリアでのみ受信可能な前記放送に用いられる前記放送波を出力する放送波出力手段を備え、
前記端末装置は、ユーザが入力する前記エリアデータ、前記放送内容データおよび前記放送時間データの少なくとも１つに基づいて前記センタ装置の前記放送詳細データベースを検索していかなるエリアでどのような放送内容および／または放送時間で前記放送波を受信することが可能であるかに関する情報を入手する放送詳細データ入手手段と、
前記放送波出力装置の前記放送波出力手段により出力される前記放送波を受信することが可能なエリアであるか否かを検知する受信可能エリア検知手段と、
前記放送波出力装置の前記放送波出力手段により出力される前記放送波を受信する放送波受信手段と、
前記放送波受信手段により受信される前記放送波が用いられる前記放送の放送データから前記関連データへのリンクデータを取得するリンクデータ取得手段と、
前記リンクデータ取得手段により取得される前記リンクデータに基づいて前記放送提供装置の前記関連データベースを検索して前記リンクデータと対応付けられている前記関連データを取得する関連データ取得手段と、
前記関連データ取得手段により取得される前記関連データを表示する関連データ表示手段と、
を備えることを特徴とする情報提供システム。
【請求項４】
所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を含む情報提供システムであって、
前記放送提供装置は、関連データをその関連データへのリンクデータと対応付けて登録するための関連データベースと、
前記関連データおよび前記リンクデータを前記関連データベースに登録する関連データ登録手段と、
放送波を受信可能な所定のエリアデータと、放送波が用いられる前記放送の放送内容データおよび／または放送時間データを前記センタ装置に送信する放送詳細データ送信手段と、
前記端末装置の基礎データ送信手段により送信される基礎データを受信する基礎データ受信手段と、
前記基礎データ受信手段により受信される前記基礎データを解析して前記関連データへのリンクデータを抽出するリンクデータ解析手段と、
前記リンクデータ解析手段により抽出される前記リンクデータに基づいて前記関連データベースを検索して前記リンクデータと対応付けられている前記関連データを入手する関連データ入手手段と、
前記関連データ入手手段により入手される前記関連データを前記端末装置に送信する関連データ送信手段と、を備え、
前記センタ装置は、前記放送提供装置の前記関連データ送信手段により送信される前記エリアデータと、前記放送内容データおよび／または前記放送時間データを受信する放送詳細データ受信手段と、
前記放送詳細データ受信手段により受信した前記エリアデータと、前記放送内容データおよび／または前記放送時間データをそれぞれ対応付けて登録するための放送詳細データベースと、
前記エリアデータと、前記放送内容データおよび／または前記放送時間データを前記放送詳細データベースに登録する放送詳細データ登録手段と、を備え、
前記放送波出力装置は、所定のエリアでのみ受信可能な前記放送に用いられる前記放送波を出力する放送波出力手段を備え、
前記端末装置は、ユーザが入力する前記エリアデータ、前記放送内容データおよび前記放送時間データの少なくとも１つに基づいて前記センタ装置の前記放送詳細データベースを検索していかなるエリアでどのような放送内容および／または放送時間で前記放送波を受信することが可能であるかに関する情報を入手する放送詳細データ入手手段と、
前記放送波出力装置の前記放送波出力手段により出力される前記放送波を受信することが可能なエリアであるか否かを検知する受信可能エリア検知手段と、
前記放送波出力装置の前記放送波出力手段により出力される前記放送波を受信する放送波受信手段と、
前記放送波受信手段により受信される前記放送波が用いられる前記放送の放送データから前記関連データへのリンクデータを解析するために用いられる前記関連データへのリンクデータを含む基礎データを取得する基礎データ取得手段と、
前記基礎データ取得手段により取得される前記基礎データを前記放送提供装置に送信する前記基礎データ送信手段と、
前記放送提供装置の前記関連データ送信手段により送信される前記関連データを受信する関連データ受信手段と、
前記関連データ受信手段により受信される前記関連データを表示する関連データ表示手段と、
を備えることを特徴とする情報提供システム。
【請求項５】
前記センタ装置は、前記端末装置が前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録するための履歴データベースと、
前記放送内容データ、前記リンクデータ、前記関連データ、前記識別データ、前記ユーザ識別データ、前記時間データおよび前記位置データを前記履歴データベースに登録する履歴データ登録手段と、
前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、
前記履歴検索手段により取得される前記放送内容データ、前記リンクデータ、前記関連データ、前記ユーザ識別データ、前記時間データおよび前記位置データの少なくとも１つを再生する再生手段と、
を備えることを特徴とする請求項３または４に記載の情報提供システム。
【請求項６】
前記端末装置は、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録するための履歴データベースと、
前記放送内容データ、前記リンクデータ、前記関連データ、前記識別データ、前記ユーザ識別データ、前記時間データおよび前記位置データを前記履歴データベースに登録する履歴データ登録手段と、
前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、
前記履歴検索手段により取得される前記放送内容データ、前記リンクデータ、前記関連データ、前記ユーザ識別データ、前記時間データおよび前記位置データの少なくとも１つを再生する再生手段と、
を備えることを特徴とする請求項１から５のいずれか１項に記載の情報提供システム。
【請求項７】
前記端末装置は、前記関連データ表示手段により表示される前記関連データを閲覧した前記ユーザがその関連データへの応答を行うための返信情報を前記放送提供装置に送信する返信情報送信手段を備えることを特徴とする請求項１から６のいずれか１項に記載の情報提供システム。
【請求項８】
前記端末装置の前記受信可能エリア検知手段は、前記放送波出力装置の前記放送波出力手段により出力される前記放送波の電波強度情報に基づいて前記放送波を受信することが可能なエリアであるか否かを検知することを特徴とする請求項１から７のいずれか１項に記載の情報提供システム。
【請求項９】
前記端末装置の前記受信可能エリア検知手段は、前記放送波出力装置および前記端末装置の位置データに基づいて前記放送波を受信することが可能なエリアであるか否かを検知することを特徴とする請求項１から７のいずれか１項に記載の情報提供システム。
【請求項１０】
前記端末装置は、前記放送波受信手段により前記放送波を受信する際および／または関連データ取得手段により前記関連データを取得する際に、前記放送波が用いられる前記放送のデータおよび／または前記関連データのデータとともに入手した前記放送波出力装置の位置データと、任意の時点における前記端末装置の位置データに基づいて前記放送波出力装置と前記端末装置の位置関係情報を表示する位置関係表示手段を備えることを特徴とする請求項１から９のいずれか１項に記載の情報提供システム。
【請求項１１】
前記端末装置は、前記放送波受信手段により受信される前記放送波が用いられる前記放送の放送内容を表示する放送内容表示手段を備えることを特徴とする請求項１から１０のいずれか１項に記載の情報提供システム。
【請求項１２】
前記端末装置がネットワークを介して取得する前記放送提供装置の前記関連データベースに登録されている前記関連データは、暗号化されていることを特徴とする請求項１から１１のいずれか１項に記載の情報提供システム。
【請求項１３】
所定のエリアに放送を行う放送波出力装置と、その放送波出力装置に接続される放送提供装置と、その放送提供装置とネットワークを介して接続されている端末装置とを利用した情報提供方法であって、
前記端末装置は、前記放送波出力装置から出力される所定のエリアでのみ受信可能な放送に用いられる放送波を受信することが可能なエリアであるか否かを検知するステップと、
前記放送波出力装置から出力される前記放送波を受信するステップと、
受信した前記放送波が用いられる前記放送の放送データから関連データへのリンクデータを取得するステップと、
取得した前記リンクデータに基づいて前記放送提供装置の前記関連データをその関連データへの前記リンクデータと対応付けて登録している前記関連データベースを検索して前記リンクデータと対応付けられている前記関連データを取得するステップと、
取得した前記関連データを表示するステップと、
を有することを特徴とする情報提供方法。
【請求項１４】
所定のエリアに放送を行う放送波出力装置と、その放送波出力装置に接続される放送提供装置と、その放送提供装置とネットワークを介して接続されている端末装置とを利用した情報提供方法であって、
前記端末装置は、前記放送波出力装置から出力される所定のエリアでのみ受信可能な放送に用いられる放送波を受信することが可能なエリアであるか否かを検知するステップと、
前記放送波出力装置から出力される前記放送波を受信するステップと、
受信した前記放送波が用いられる前記放送の放送データから関連データへのリンクデータを解析するために用いられる前記関連データへのリンクデータを含む基礎データを取得するステップと、
取得した前記基礎データを前記放送提供装置に送信するステップと、を有し、
前記放送提供装置は、前記端末装置から送信される前記基礎データを受信するステップと、
受信した前記基礎データを解析して前記関連データへのリンクデータを抽出するステップと、
抽出した前記リンクデータに基づいて前記放送提供装置の前記関連データをその関連データへの前記リンクデータと対応付けて登録している前記関連データベースを検索して前記リンクデータと対応付けられている前記関連データを入手するステップと、
入手した前記関連データを前記端末装置に送信するステップと、を有し、
前記端末装置は、前記放送提供装置から送信される前記関連データを受信するステップと、
受信した前記関連データを表示するステップと、
を有することを特徴とする情報提供方法。
【請求項１５】
所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を利用した情報提供方法であって、
前記端末装置は、ユーザが入力するエリアデータ、放送内容データおよび放送時間データの少なくとも１つに基づいて前記センタ装置の前記放送提供装置から受信した前記エリアデータと、前記放送内容データおよび／または前記放送時間データをそれぞれ対応付けて登録する放送詳細データベースを検索していかなるエリアでどのような放送内容および／または放送時間で前記放送波を受信することが可能であるかに関する情報を入手するステップと、
前記放送波出力装置から出力される所定のエリアでのみ受信可能な放送に用いられる放送波を受信することが可能なエリアであるか否かを検知するステップと、
前記放送波出力装置から出力される前記放送波を受信するステップと、
受信した前記放送波が用いられる前記放送の放送データから関連データへのリンクデータを取得するステップと、
取得した前記リンクデータに基づいて前記放送提供装置の前記関連データをその関連データへの前記リンクデータと対応付けて登録している前記関連データベースを検索して前記リンクデータと対応付けられている前記関連データを取得するステップと、
取得した前記関連データを表示するステップと、
を有することを特徴とする情報提供方法。
【請求項１６】
所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を利用した情報提供方法であって、
前記端末装置は、ユーザが入力するエリアデータ、放送内容データおよび放送時間データの少なくとも１つに基づいて前記センタ装置の前記放送提供装置から受信した前記エリアデータと、前記放送内容データおよび／または前記放送時間データをそれぞれ対応付けて登録する放送詳細データベースを検索していかなるエリアでどのような放送内容および／または放送時間で前記放送波を受信することが可能であるかに関する情報を入手するステップと、
前記放送波出力装置から出力される所定のエリアでのみ受信可能な放送に用いられる放送波を受信することが可能なエリアであるか否かを検知するステップと、
前記放送波出力装置から出力される前記放送波を受信するステップと、
受信した前記放送波が用いられる前記放送の放送データから関連データへのリンクデータを解析するために用いられる前記関連データへのリンクデータを含む基礎データを取得するステップと、
取得した前記基礎データを前記放送提供装置に送信するステップと、を有し、
前記放送提供装置は、前記端末装置から送信される前記基礎データを受信するステップと、
受信した前記基礎データを解析して前記関連データへのリンクデータを抽出するステップと、
抽出した前記リンクデータに基づいて前記放送提供装置の前記関連データをその関連データへの前記リンクデータと対応付けて登録している前記関連データベースを検索して前記リンクデータと対応付けられている前記関連データを入手するステップと、
入手した前記関連データを前記端末装置に送信するステップと、を有し、
前記端末装置は、前記放送提供装置から送信される前記関連データを受信するステップと、
受信した前記関連データを表示するステップと、
を有することを特徴とする情報提供方法。
【請求項１７】
前記センタ装置は、前記ユーザが入力する前記識別データに基づいて、前記端末装置が前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録する履歴データベースを検索して該当する前記放送内容データ、前記リンクデータ、前記関連データ、前記ユーザ識別データ、前記時間データおよび前記位置データの少なくとも１つを取得するステップと、
取得した前記放送内容データ、前記リンクデータ、前記関連データ、前記ユーザ識別データ、前記時間データおよび前記位置データの少なくとも１つを再生するステップと、
を有することを特徴とする請求項１５または１６に記載の情報提供方法。
【請求項１８】
前記端末装置は、前記ユーザが入力する前記識別データに基づいて、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録する履歴データベースを検索して該当する前記放送内容データ、前記リンクデータ、前記関連データ、前記ユーザ識別データ、前記時間データおよび前記位置データの少なくとも１つを取得するステップと、
取得した前記放送内容データ、前記リンクデータ、前記関連データ、前記ユーザ識別データ、前記時間データおよび前記位置データの少なくとも１つを再生するステップと、
を有することを特徴とする請求項１３から１７のいずれか１項に記載の情報提供方法。
【請求項１９】
前記端末装置は、表示した前記関連データを閲覧した前記ユーザがその関連データへの応答を行うための返信情報を受け付けて前記放送提供装置に送信するステップを有することを特徴とする請求項１３から１８のいずれか１項に記載の情報提供方法。
【請求項２０】
前記端末装置は、前記放送波を受信する際および／または関連データ取得手段により前記関連データを取得する際に、前記放送波が用いられる前記放送のデータおよび／または前記関連データのデータとともに入手した前記放送波出力装置の位置データと、任意の時点における前記端末装置の位置データに基づいて前記放送波出力装置と前記端末装置の位置関係情報を表示するステップを有することを特徴とする請求項１３から１９のいずれか１項に記載の情報提供方法。
【請求項２１】
前記端末装置は、受信した前記放送波が用いられる前記放送の放送内容を表示するステップを有することを特徴とする請求項１３から２０のいずれか１項に記載の情報提供方法。
【請求項２２】
関連データをその関連データへのリンクデータと対応付けて登録するための関連データベースと、
放送の放送データから取得される前記関連データへの前記リンクデータに基づいて検索して前記リンクデータと対応付けられている前記関連データを取得することができるように前記関連データおよび前記リンクデータを前記関連データベースに登録する関連データ登録手段と、
を備えることを特徴とする放送提供装置。
【請求項２３】
関連データをその関連データへのリンクデータと対応付けて登録するための関連データベースと、
放送の放送データから取得される前記関連データへの前記リンクデータに基づいて検索して前記リンクデータと対応付けられている前記関連データを取得することができるように前記関連データおよび前記リンクデータを前記関連データベースに登録する関連データ登録手段と、
前記放送の放送データから前記関連データへのリンクデータを解析するために用いられる前記関連データへのリンクデータを含む基礎データを受信する基礎データ受信手段と、
前記基礎データ受信手段により受信される前記基礎データを解析して前記関連データへのリンクデータを抽出するリンクデータ解析手段と、
前記リンクデータ解析手段により抽出される前記リンクデータに基づいて前記関連データベースを検索して前記リンクデータと対応付けられている前記関連データを入手する関連データ入手手段と、
を備えることを特徴とする放送提供装置。
【請求項２４】
放送波を受信することが可能なエリアであるか否かを検知する受信可能エリア検知手段と、
前記放送波を受信する放送波受信手段と、
前記放送波受信手段により受信される前記放送波が用いられる放送の放送データから関連データへのリンクデータを取得するリンクデータ取得手段と、
前記リンクデータ取得手段により取得される前記リンクデータに基づいて、前記関連データをその関連データへの前記リンクデータと対応付けて登録している関連データベースを検索して前記リンクデータと対応付けられている前記関連データを取得する関連データ取得手段と、
前記関連データ取得手段により取得される前記関連データを表示する関連データ表示手段と、
を備えることを特徴とする端末装置。
【請求項２５】
放送波を受信することが可能なエリアであるか否かを検知する受信可能エリア検知手段と、
前記放送波を受信する放送波受信手段と、
前記放送波受信手段により受信される前記放送波が用いられる前記放送の放送データから前記関連データへのリンクデータを解析するために用いられる前記関連データへのリンクデータを含む基礎データを取得する基礎データ取得手段と、
前記基礎データ取得手段により取得される前記基礎データを前記放送提供装置に送信する前記基礎データ送信手段と、
前記基礎データを解析して抽出される前記リンクデータに基づいて、前記関連データをその関連データへの前記リンクデータと対応付けて登録している関連データベースを検索して入手される前記リンクデータと対応付けられている前記関連データを受信する関連データ受信手段と、
前記関連データ受信手段により受信される前記関連データを表示する関連データ表示手段と、
を備えることを特徴とする端末装置。
【請求項２６】
前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録するための履歴データベースと、
前記放送内容データ、前記リンクデータ、前記関連データ、前記識別データ、前記ユーザ識別データ、前記時間データおよび前記位置データを前記履歴データベースに登録する履歴データ登録手段と、
前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、
前記履歴検索手段により取得される前記放送内容データ、前記リンクデータ、前記関連データ、前記ユーザ識別データ、前記時間データおよび前記位置データの少なくとも１つを再生する再生手段と、
を備えることを特徴とする請求項２４または２５記載の端末装置。
【請求項２７】
前記関連データ表示手段により表示される前記関連データを閲覧した前記ユーザがその関連データへの応答を行うための返信情報を送信する返信情報送信手段を備えることを特徴とする請求項２４から２６のいずれか１項に記載の端末装置。
【請求項２８】
前記受信可能エリア検知手段は、前記放送波の電波強度情報に基づいて前記放送波を受信することが可能なエリアであるか否かを検知することを特徴とする請求項２４から２７のいずれか１項に記載の端末装置。
【請求項２９】
前記受信可能エリア検知手段は、前記端末装置の位置データに基づいて前記放送波を受信することが可能なエリアであるか否かを検知することを特徴とする請求項２４から２７のいずれか１項に記載の端末装置。
【請求項３０】
前記放送波受信手段により前記放送波を受信する際および／または関連データ取得手段により前記関連データを取得する際に、前記放送波が用いられる前記放送のデータおよび／または前記関連データのデータとともに入手した放送波出力装置の位置データと、任意の時点における前記端末装置の位置データに基づいて前記放送波出力装置と前記端末装置の位置関係情報を表示する位置関係表示手段を備えることを特徴とする請求項２４から２９のいずれか１項に記載の端末装置。
【請求項３１】
前記放送波受信手段により受信される前記放送波が用いられる前記放送の放送内容を表示する放送内容表示手段を備えることを特徴とする請求項２４から３０のいずれか１項に記載の端末装置。
【請求項３２】
放送波を受信可能な所定のエリアデータと、放送波が用いられる放送の放送内容データおよび／または放送時間データを受信する放送詳細データ受信手段と、
前記放送詳細データ受信手段により受信した前記エリアデータと、前記放送内容データおよび／または前記放送時間データをそれぞれ対応付けて登録するための放送詳細データベースと、
ユーザが入力する前記エリアデータ、前記放送内容データおよび前記放送時間データの少なくとも１つに基づいて、検索していかなるエリアでどのような放送内容および／または放送時間で前記放送波を受信することが可能であるかに関する情報を入手することができるように前記エリアデータと、前記放送内容データおよび／または前記放送時間データを前記放送詳細データベースに登録する放送詳細データ登録手段と、
を備えることを特徴とするセンタ装置。
【請求項３３】
前記放送波が用いられる前記放送の放送内容データ、前記リンクデータおよび前記関連データの少なくとも１つをそれらの前記放送内容データ、リンクデータおよび関連データを特定するための識別データおよびそれらのデータを取得したユーザのユーザ識別データ、時間データ、位置データの少なくとも１つと対応付けて登録するための履歴データベースと、
前記放送内容データ、前記リンクデータ、前記関連データ、前記識別データ、前記ユーザ識別データ、前記時間データおよび前記位置データを前記履歴データベースに登録する履歴データ登録手段と、
前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、
前記履歴検索手段により取得される前記放送内容データ、前記リンクデータ、前記関連データ、前記ユーザ識別データ、前記時間データおよび前記位置データの少なくとも１つを再生する再生手段と、
を備えることを特徴とする請求項３２記載のセンタ装置。
【発明の詳細な説明】
【技術分野】
【０００１】
本発明は、所定の範囲にのみ放送される放送波からリンクデータを取得し、関連データを閲覧することによりネットワーク上の詳細な情報を簡易に入手することができる情報提供システム、その方法、放送提供装置、端末装置およびセンタ装置に関する。
【背景技術】
【０００２】
従来、任意の情報サイトのユーザが、その情報サイトのＷｅｂページ等にアクセスする場合には、ユーザ自らが該当するＷｅｂページのＵＲＬ（Uniform Resource Locators）等のリンクデータを取得して、そのＵＲＬを用いてユーザ自らが該当するＷｅｂページにアクセスすることによりユーザが所望する情報の提供が行われていた。例えば、任意の情報サイトの情報をＷｅｂページから入手しようとするユーザは、携帯電話機等の端末装置を用いてその情報サイトのサービス事業者等に対して、電子メールの送信先メールアドレスのみで本文の入力が省略されている空メールを送信し、その電子メールに対するサービス事業者からの返信メールの本文に記載されているＵＲＬを用いてＷｅｂページにアクセスすることにより情報を獲得したり、あるいはその情報サイトのサービス事業者のポスター等の広告に掲載されているＵＲＬをユーザが見て、ユーザ自らが直接に、携帯電話機等の端末装置にＵＲＬ情報を入力することにより情報を獲得していた。
【０００３】
また、特定のエリア内で、情報提供希望者がランダムな情報を発信しようとする場合には、まず、情報受信希望者が予め携帯電話機等の端末装置についての電子メールアドレス等の個人情報を任意のサイトに登録することが必要であり、さらに、その情報受信希望者の携帯電話機等の端末装置が情報を受信可能なエリアないしは環境に位置していることを識別するための無線ＩＤタグ等の特殊なデバイスを併用して電子メール等により情報を発信しなければならなかった。
【０００４】
ここで、ユーザの操作の簡素化を図るべく、放送局が放送に併せて送信する、情報提供先の識別データを検出手段により検出し、その識別データに基づいて、その通信相手に対して、無線通信端末が情報を送信することにより無線通信端末のユーザは、特別な操作を行うことなく、放送局が指定する相手に対して容易に情報提供を行うことができる技術が提案されている（例えば、特許文献１参照）。
【特許文献１】特開２００３−１０１４９５号公報
【発明の開示】
【発明が解決しようとする課題】
【０００５】
しかしながら、上述した従来例においては、ユーザがサービス事業者等との空メールのやりとりや、端末装置へのＵＲＬ情報の入力等の煩雑な作業を行わなければならないという問題点があった。
【０００６】
また、情報提供希望者が動画等の映像を用いることが困難であり、さらに、情報提供希望者が特殊なデバイスに対応した高価な装置を購入する必要があるとともに情報を受信可能な端末も限定されてしまうという問題点があった。
【０００７】
本発明は、上記の問題点に鑑みてなされたものであり、所定の範囲にのみ放送される放送波に含まれるリンクデータを自動的に解析して取得し、そのリンクデータに基づいて関連データを自動的に表示することによりネットワーク上の詳細な情報を簡易に閲覧することができる情報提供システム、その方法、放送提供装置、端末装置およびセンタ装置を提供することを目的とする。
【課題を解決するための手段】
【０００８】
本発明による情報提供システムは、所定のエリアに放送を行う放送波出力装置と、その放送波出力装置に接続される放送提供装置と、その放送提供装置とネットワークを介して接続されている端末装置とを含む情報提供システムであって、前記放送提供装置は、関連データをその関連データへのリンクデータと対応付けて登録するための関連データベースと、前記関連データおよび前記リンクデータを前記関連データベースに登録する関連データ登録手段とを備え、前記放送波出力装置は、所定のエリアでのみ受信可能な放送に用いられる放送波を出力する放送波出力手段を備え、前記端末装置は、前記放送波出力装置の前記放送波出力手段により出力される前記放送波を受信することが可能なエリアであるか否かを検知する受信可能エリア検知手段と、前記放送波出力装置の前記放送波出力手段により出力される前記放送波を受信する放送波受信手段と、前記放送波受信手段により受信される前記放送波が用いられる前記放送の放送データから前記関連データへのリンクデータを取得するリンクデータ取得手段と、前記リンクデータ取得手段により取得される前記リンクデータに基づいて前記放送提供装置の前記関連データベースを検索して前記リンクデータと対応付けられている前記関連データを取得する関連データ取得手段と、前記関連データ取得手段により取得される前記関連データを表示する関連データ表示手段とを備えている。
【０００９】
この構成の情報提供システムでは、ユーザは、端末装置にリンクデータを入力することなく、放送内容を入り口として、その放送内容に関連するより詳細な情報を、リンクデータを用いて自動的に取得して閲覧することができる。
【００１０】
また、本発明による情報提供システムは、所定のエリアに放送を行う放送波出力装置と、その放送波出力装置に接続される放送提供装置と、その放送提供装置とネットワークを介して接続されている端末装置とを含む情報提供システムであって、前記放送提供装置は、関連データをその関連データへのリンクデータと対応付けて登録するための関連データベースと、前記関連データおよび前記リンクデータを前記関連データベースに登録する関連データ登録手段と、前記端末装置の基礎データ送信手段により送信される基礎データを受信する基礎データ受信手段と、前記基礎データ受信手段により受信される前記基礎データを解析して前記関連データへのリンクデータを抽出するリンクデータ解析手段と、前記リンクデータ解析手段により抽出される前記リンクデータに基づいて前記関連データベースを検索して前記リンクデータと対応付けられている前記関連データを入手する関連データ入手手段と、前記関連データ入手手段により入手される前記関連データを前記端末装置に送信する関連データ送信手段とを備え、前記放送波出力装置は、所定のエリアでのみ受信可能な放送に用いられる放送波を出力する放送波出力手段を備え、前記端末装置は、前記放送波出力装置の前記放送波出力手段により出力される前記放送波を受信することが可能なエリアであるか否かを検知する受信可能エリア検知手段と、前記放送波出力装置の前記放送波出力手段により出力される前記放送波を受信する放送波受信手段と、前記放送波受信手段により受信される前記放送波が用いられる前記放送の放送データから前記関連データへのリンクデータを解析するために用いられる前記関連データへのリンクデータを含む基礎データを取得する基礎データ取得手段と、前記基礎データ取得手段により取得される前記基礎データを前記放送提供装置に送信する前記基礎データ送信手段と、前記放送提供装置の前記関連データ送信手段により送信される前記関連データを受信する関連データ受信手段と、前記関連データ受信手段により受信される前記関連データを表示する関連データ表示手段とを備えている。
【００１１】
この構成の情報提供システムでは、端末装置に放送データに含まれるリンクデータの解析に必要な複雑な機構を設けることなく、ユーザは、放送内容を入り口として、その放送内容に関連するより詳細な情報を、放送提供装置側で解析されたリンクデータを用いて自動的に取得して閲覧することができる。
【００１２】
また、本発明による情報提供システムは、所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を含む情報提供システムであって、前記放送提供装置は、関連データをその関連データへのリンクデータと対応付けて登録するための関連データベースと、前記関連データおよび前記リンクデータを前記関連データベースに登録する関連データ登録手段とを備え、放送波を受信可能な所定のエリアデータと、放送波が用いられる前記放送の放送内容データおよび／または放送時間データを前記センタ装置に送信する放送詳細データ送信手段とを備え、前記センタ装置は、前記放送提供装置の前記関連データ送信手段により送信される前記エリアデータと、前記放送内容データおよび／または前記放送時間データを受信する放送詳細データ受信手段と、前記放送詳細データ受信手段により受信した前記エリアデータと、前記放送内容データおよび／または前記放送時間データをそれぞれ対応付けて登録するための放送詳細データベースと、前記エリアデータと、前記放送内容データおよび／または前記放送時間データを前記放送詳細データベースに登録する放送詳細データ登録手段とを備え、前記放送波出力装置は、所定のエリアでのみ受信可能な前記放送に用いられる前記放送波を出力する放送波出力手段を備え、前記端末装置は、ユーザが入力する前記エリアデータ、前記放送内容データおよび前記放送時間データの少なくとも１つに基づいて前記センタ装置の前記放送詳細データベースを検索していかなるエリアでどのような放送内容および／または放送時間で前記放送波を受信することが可能であるかに関する情報を入手する放送詳細データ入手手段と、前記放送波出力装置の前記放送波出力手段により出力される前記放送波を受信することが可能なエリアであるか否かを検知する受信可能エリア検知手段と、前記放送波出力装置の前記放送波出力手段により出力される前記放送波を受信する放送波受信手段と、前記放送波受信手段により受信される前記放送波が用いられる前記放送の放送データから前記関連データへのリンクデータを取得するリンクデータ取得手段と、前記リンクデータ取得手段により取得される前記リンクデータに基づいて前記放送提供装置の前記関連データベースを検索して前記リンクデータと対応付けられている前記関連データを取得する関連データ取得手段と、前記関連データ取得手段により取得される前記関連データを表示する関連データ表示手段とを備えている。
【００１３】
この構成の情報提供システムでは、さらにユーザは、いつ、どこでどのような放送内容が放送されたのか、あるいはこれから放送されるのかを知ることができ、受動的・偶然的でなく自らの選択により嗜好に応じた放送を受信し、その放送内容に関連するより詳細な情報をリンクデータを介して自動的に取得して閲覧することができる。
【００１４】
また、本発明による情報提供システムは、所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を含む情報提供システムであって、前記放送提供装置は、関連データをその関連データへのリンクデータと対応付けて登録するための関連データベースと、前記関連データおよび前記リンクデータを前記関連データベースに登録する関連データ登録手段と、放送波を受信可能な所定のエリアデータと、放送波が用いられる前記放送の放送内容データおよび／または放送時間データを前記センタ装置に送信する放送詳細データ送信手段と、前記端末装置の基礎データ送信手段により送信される基礎データを受信する基礎データ受信手段と、前記基礎データ受信手段により受信される前記基礎データを解析して前記関連データへのリンクデータを抽出するリンクデータ解析手段と、前記リンクデータ解析手段により抽出される前記リンクデータに基づいて前記関連データベースを検索して前記リンクデータと対応付けられている前記関連データを入手する関連データ入手手段と、前記関連データ入手手段により入手される前記関連データを前記端末装置に送信する関連データ送信手段とを備え、前記センタ装置は、前記放送提供装置の前記関連データ送信手段により送信される前記エリアデータと、前記放送内容データおよび／または前記放送時間データを受信する放送詳細データ受信手段と、前記放送詳細データ受信手段により受信した前記エリアデータと、前記放送内容データおよび／または前記放送時間データをそれぞれ対応付けて登録するための放送詳細データベースと、前記エリアデータと、前記放送内容データおよび／または前記放送時間データを前記放送詳細データベースに登録する放送詳細データ登録手段とを備え、前記放送波出力装置は、所定のエリアでのみ受信可能な前記放送に用いられる前記放送波を出力する放送波出力手段を備え、前記端末装置は、ユーザが入力する前記エリアデータ、前記放送内容データおよび前記放送時間データの少なくとも１つに基づいて前記センタ装置の前記放送詳細データベースを検索していかなるエリアでどのような放送内容および／または放送時間で前記放送波を受信することが可能であるかに関する情報を入手する放送詳細データ入手手段と、前記放送波出力装置の前記放送波出力手段により出力される前記放送波を受信することが可能なエリアであるか否かを検知する受信可能エリア検知手段と、前記放送波出力装置の前記放送波出力手段により出力される前記放送波を受信する放送波受信手段と、前記放送波受信手段により受信される前記放送波が用いられる前記放送の放送データから前記関連データへのリンクデータを解析するために用いられる前記関連データへのリンクデータを含む基礎データを取得する基礎データ取得手段と、前記基礎データ取得手段により取得される前記基礎データを前記放送提供装置に送信する前記基礎データ送信手段と、前記放送提供装置の前記関連データ送信手段により送信される前記関連データを受信する関連データ受信手段と、前記関連データ受信手段により受信される前記関連データを表示する関連データ表示手段とを備えている。
【００１５】
この構成の情報提供システムでは、さらにユーザは、いつ、どこでどのような放送内容が放送されたのか、あるいはこれから放送されるのかを知ることができ、受動的・偶然的でなく自らの選択により嗜好に応じた放送を受信し、その放送内容に関連するより詳細な情報をリンクデータを介して自動的に取得して閲覧することができる。
【００１６】
また、本発明による情報提供システムは、さらに、前記センタ装置は、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらの情報を取得したユーザのユーザ識別データ、時間データ、位置データの少なくとも１つと対応付けて登録するための履歴データベースと、前記放送内容データ、前記リンクデータ、前記関連データ、前記識別データ、前記ユーザ識別データ、前記時間データおよび前記位置データを前記履歴データベースに登録する履歴データ登録手段と、前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、前記履歴検索手段により取得される前記放送内容データ、前記リンクデータ、前記関連データ、前記ユーザ識別データ、前記時間データおよび前記位置データの少なくとも１つを再生する再生手段とを備えていることを特徴とする。
【００１７】
この構成の情報提供システムでは、ユーザは、情報を受信した場所や時間を正確に特定することが困難な場合であっても、誰が、いつ、どこで、どのような情報を閲覧したのかを、センタ装置から知ることができ、端末装置に履歴データの記憶および検索に必要な複雑な機構を設けることなく、過去の行動パターンに基づいて放送内容、リンクデータおよび関連データを再度取得して閲覧することができる。
【００１８】
また、本発明による情報提供システムは、さらに、前記端末装置が、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらの情報を取得したユーザのユーザ識別データ、時間データ、位置データの少なくとも１つと対応付けて登録するための履歴データベースと、前記放送内容データ、前記リンクデータ、前記関連データ、前記識別データ、前記ユーザ識別データ、前記時間データおよび前記位置データを前記履歴データベースに登録する履歴データ登録手段と、前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、前記履歴検索手段により取得される前記放送内容データ、前記リンクデータ、前記関連データ、前記ユーザ識別データ、前記時間データおよび前記位置データの少なくとも１つを再生する再生手段とを備えていることを特徴とする。
【００１９】
この構成の情報提供システムでは、ユーザは、情報を受信した場所や時間を正確に特定することが困難な場合であっても、誰が、いつ、どこでどのような情報を閲覧したのかを自機の端末装置により容易に知ることができ、過去の行動パターンに基づいて放送内容、リンクデータおよび関連データを再度取得して閲覧することができる。
【００２０】
また、本発明による情報提供システムは、さらに、前記端末装置が、前記関連データ表示手段により表示される前記関連データを閲覧した前記ユーザがその関連データへの応答を行うための返信情報を前記放送提供装置に送信する返信情報送信手段を備えていることを特徴とする。
【００２１】
この構成の情報提供システムでは、ユーザは、関連データを閲覧した後に、そのデータに基づいて情報提供者に対して自ら情報を発信して双方向コミュニケーションを行うことができる。
【００２２】
また、本発明による情報提供システムは、さらに、前記端末装置が、前記放送波受信手段により前記放送波を受信する際および／または関連データ取得手段により前記関連データを取得する際に、前記放送波が用いられる前記放送のデータおよび／または前記関連データのデータとともに入手した前記放送波出力装置の位置データと、任意の時点における前記端末装置の位置データに基づいて前記放送波出力装置と前記端末装置の位置関係情報を表示する位置関係表示手段を備えていることを特徴とする。
【００２３】
この構成の情報提供システムでは、ユーザは、自分の現在地と放送波出力装置が設置されている場所の位置関係を把握することができ、どのような経路で、どの程度の時間および距離でその場所に到着可能かを判断することができる。
【００２４】
また、本発明による情報提供システムは、さらに、前記端末装置が、前記放送波受信手段により受信される前記放送波が用いられる前記放送の放送内容を表示する放送内容表示手段を備えていることを特徴とする。
【００２５】
この構成の情報提供システムでは、ユーザは、テレビ放送や文字放送等の映像から多様な情報を視覚により把握し、より詳細な関連データを望む場合を明確かつ有効に特定することができる。
【００２６】
なお、本発明による情報提供システムでは、前記端末装置の前記受信可能エリア検知手段は、前記放送波出力装置の前記放送波出力手段により出力される前記放送波の電波強度情報または、前記放送波出力装置および前記端末装置の位置データに基づいて前記放送波を受信することが可能なエリアであるか否かを検知してもよい。
【００２７】
また、本発明による情報提供システムでは、前記放送提供装置の前記関連データベースに登録されている前記関連データは、暗号化されていてもよい。
【００２８】
本発明による情報提供方法は、所定のエリアに放送を行う放送波出力装置と、その放送波出力装置に接続される放送提供装置と、その放送提供装置とネットワークを介して接続されている端末装置とを利用した情報提供方法であって、前記端末装置は、前記放送波出力装置から出力される所定のエリアでのみ受信可能な放送に用いられる放送波を受信することが可能なエリアであるか否かを検知するステップと、前記放送波出力装置から出力される前記放送波を受信するステップと、受信した前記放送波が用いられる前記放送の放送データから関連データへのリンクデータを取得するステップと、取得した前記リンクデータに基づいて前記放送提供装置の前記関連データをその関連データへの前記リンクデータと対応付けて登録している前記関連データベースを検索して前記リンクデータと対応付けられている前記関連データを取得するステップと、取得した前記関連データを表示するステップとを有している。
【００２９】
この工程の情報提供方法では、ユーザは、端末装置にリンクデータを入力することなく、放送内容を入り口として、その放送内容に関連するより詳細な情報を、リンクデータを用いて自動的に取得して閲覧することができる。
【００３０】
また、本発明による情報提供方法は、所定のエリアに放送を行う放送波出力装置と、その放送波出力装置に接続される放送提供装置と、その放送提供装置とネットワークを介して接続されている端末装置とを利用した情報提供方法であって、前記端末装置は、前記放送波出力装置から出力される所定のエリアでのみ受信可能な放送に用いられる放送波を受信することが可能なエリアであるか否かを検知するステップと、前記放送波出力装置から出力される前記放送波を受信するステップと、受信した前記放送波が用いられる前記放送の放送データから関連データへのリンクデータを解析するために用いられる前記関連データへのリンクデータを含む基礎データを取得するステップと、取得した前記基礎データを前記放送提供装置に送信するステップとを有し、前記放送提供装置は、前記端末装置から送信される前記基礎データを受信するステップと、受信した前記基礎データを解析して前記関連データへのリンクデータを抽出するステップと、抽出した前記リンクデータに基づいて前記放送提供装置の前記関連データをその関連データへの前記リンクデータと対応付けて登録している前記関連データベースを検索して前記リンクデータと対応付けられている前記関連データを入手するステップと、入手した前記関連データを前記端末装置に送信するステップとを有し、前記端末装置は、前記放送提供装置から送信される前記関連データを受信するステップと、受信した前記関連データを表示するステップとを有している。
【００３１】
この工程の情報提供方法では、端末装置に放送データに含まれるリンクデータの解析に必要な複雑な機構を設けることなく、ユーザは、放送内容を入り口として、その放送内容に関連するより詳細な情報を、放送提供装置側で解析されたリンクデータを用いて自動的に取得して閲覧することができる。
【００３２】
また、本発明による情報提供方法は、所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を利用した情報提供方法であって、前記端末装置は、ユーザが入力するエリアデータ、放送内容データおよび放送時間データの少なくとも１つに基づいて前記センタ装置の前記放送提供装置から受信した前記エリアデータと、前記放送内容データおよび／または前記放送時間データをそれぞれ対応付けて登録する放送詳細データベースを検索していかなるエリアでどのような放送内容および／または放送時間で前記放送波を受信することが可能であるかに関する情報を入手するステップと、前記放送波出力装置から出力される所定のエリアでのみ受信可能な放送に用いられる放送波を受信することが可能なエリアであるか否かを検知するステップと、前記放送波出力装置から出力される前記放送波を受信するステップと、受信した前記放送波が用いられる前記放送の放送データから関連データへのリンクデータを取得するステップと、取得した前記リンクデータに基づいて前記放送提供装置の前記関連データをその関連データへの前記リンクデータと対応付けて登録している前記関連データベースを検索して前記リンクデータと対応付けられている前記関連データを取得するステップと、取得した前記関連データを表示するステップとを有している。
【００３３】
この工程の情報提供方法では、さらにユーザは、いつ、どこでどのような放送内容が放送されたのか、あるいはこれから放送されるのかを知ることができ、受動的・偶然的でなく自らの選択により嗜好に応じた放送を受信し、その放送内容に関連するより詳細な情報をリンクデータを介して自動的に取得して閲覧することができる。
【００３４】
また、本発明による情報提供方法は、所定のエリアに放送を行う放送波出力装置と、その放送波出力装置に接続される少なくとも１つの放送提供装置と、その放送提供装置とネットワークを介してそれぞれ接続されている少なくとも１つの端末装置と、各放送提供装置および各端末装置を集中して管理するセンタ装置を利用した情報提供方法であって、前記端末装置は、ユーザが入力するエリアデータ、放送内容データおよび放送時間データの少なくとも１つに基づいて前記センタ装置の前記放送提供装置から受信した前記エリアデータと、前記放送内容データおよび／または前記放送時間データをそれぞれ対応付けて登録する放送詳細データベースを検索していかなるエリアでどのような放送内容および／または放送時間で前記放送波を受信することが可能であるかに関する情報を入手するステップと、前記放送波出力装置から出力される所定のエリアでのみ受信可能な放送に用いられる放送波を受信することが可能なエリアであるか否かを検知するステップと、前記放送波出力装置から出力される前記放送波を受信するステップと、受信した前記放送波が用いられる前記放送の放送データから関連データへのリンクデータを解析するために用いられる前記関連データへのリンクデータを含む基礎データを取得するステップと、取得した前記基礎データを前記放送提供装置に送信するステップとを有し、前記放送提供装置は、前記端末装置から送信される前記基礎データを受信するステップと、受信した前記基礎データを解析して前記関連データへのリンクデータを抽出するステップと、抽出した前記リンクデータに基づいて前記放送提供装置の前記関連データをその関連データへの前記リンクデータと対応付けて登録している前記関連データベースを検索して前記リンクデータと対応付けられている前記関連データを入手するステップと、入手した前記関連データを前記端末装置に送信するステップとを有し、前記端末装置は、前記放送提供装置から送信される前記関連データを受信するステップと、受信した前記関連データを表示するステップとを有している。
【００３５】
この工程の情報提供方法では、さらにユーザは、いつ、どこでどのような放送内容が放送されたのか、あるいはこれから放送されるのかを知ることができ、受動的・偶然的でなく自らの選択により嗜好に応じた放送を受信し、その放送内容に関連するより詳細な情報をリンクデータを介して自動的に取得して閲覧することができる。
【００３６】
また、本発明による情報提供方法は、さらに、前記センタ装置は、前記ユーザが入力する前記識別データに基づいて、前記端末装置が前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録する履歴データベースを検索して該当する前記放送内容データ、前記リンクデータ、前記関連データ、前記ユーザ識別データ、前記時間データおよび前記位置データの少なくとも１つを取得するステップと、取得した前記放送内容データ、前記リンクデータ、前記関連データ、前記ユーザ識別データ、前記時間データおよび前記位置データの少なくとも１つを再生するステップとを有していることを特徴とする。
【００３７】
この工程の情報提供方法では、ユーザは、情報を受信した場所や時間を正確に特定することが困難な場合であっても、誰が、いつ、どこで、どのような情報を閲覧したのかを、センタ装置から知ることができ、端末装置に履歴データの記憶および検索に必要な複雑な機構を設けることなく、過去の行動パターンに基づいて放送内容、リンクデータおよび関連データを再度取得して閲覧することができる。
【００３８】
また、本発明による情報提供方法は、さらに、前記端末装置は、前記ユーザが入力する前記識別データに基づいて、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録する履歴データベースを検索して該当する前記放送内容データ、前記リンクデータ、前記関連データ、前記ユーザ識別データ、前記時間データおよび前記位置データの少なくとも１つを取得するステップと、取得した前記放送内容データ、前記リンクデータ、前記関連データ、前記ユーザ識別データ、前記時間データおよび前記位置データの少なくとも１つを再生するステップとを有していることを特徴とする。
【００３９】
この工程の情報提供方法では、ユーザは、情報を受信した場所や時間を正確に特定することが困難な場合であっても、誰が、いつ、どこでどのような情報を閲覧したのかを自機の端末装置により容易に知ることができ、過去の行動パターンに基づいて放送内容、リンクデータおよび関連データを再度取得して閲覧することができる。
【００４０】
また、本発明による情報提供方法は、さらに、前記端末装置は、表示した前記関連データを閲覧した前記ユーザがその関連データへの応答を行うための返信情報を受け付けて前記放送提供装置に送信するステップを有していることを特徴とする。
【００４１】
この工程の情報提供方法では、ユーザは、関連データを閲覧した後に、そのデータに基づいて情報提供者に対して自ら情報を発信して双方向コミュニケーションを行うことができる。
【００４２】
また、本発明による情報提供方法は、さらに、前記端末装置は、前記放送波を受信する際および／または関連データ取得手段により前記関連データを取得する際に、前記放送波が用いられる前記放送のデータおよび／または前記関連データのデータとともに入手した前記放送波出力装置の位置データと、任意の時点における前記端末装置の位置データに基づいて前記放送波出力装置と前記端末装置の位置関係情報を表示するステップを有していることを特徴とする。
【００４３】
この工程の情報提供方法では、ユーザは、自分の現在地と放送波出力装置が設置されている場所の位置関係を把握することができ、どのような経路で、どの程度の時間および距離でその場所に到着可能かを判断することができる。
【００４４】
また、本発明による情報提供方法は、さらに、前記端末装置は、受信した前記放送波が用いられる前記放送の放送内容を表示するステップを有していることを特徴とする。
【００４５】
この工程の情報提供方法では、ユーザは、テレビ放送や文字放送等の映像から多様な情報を視覚により把握し、より詳細な関連データを望む場合を明確かつ有効に特定することができる。
【００４６】
本発明による放送提供装置は、関連データをその関連データへのリンクデータと対応付けて登録するための関連データベースと、放送の放送データから取得される前記関連データへの前記リンクデータに基づいて検索して前記リンクデータと対応付けられている前記関連データを取得することができるように前記関連データおよび前記リンクデータを前記関連データベースに登録する関連データ登録手段とを備えている。
【００４７】
また、本発明による放送提供装置は、関連データをその関連データへのリンクデータと対応付けて登録するための関連データベースと、放送の放送データから取得される前記関連データへの前記リンクデータに基づいて検索して前記リンクデータと対応付けられている前記関連データを取得することができるように前記関連データおよび前記リンクデータを前記関連データベースに登録する関連データ登録手段と、前記放送の放送データから前記関連データへのリンクデータを解析するために用いられる前記関連データへのリンクデータを含む基礎データを受信する基礎データ受信手段と、前記基礎データ受信手段により受信される前記基礎データを解析して前記関連データへのリンクデータを抽出するリンクデータ解析手段と、前記リンクデータ解析手段により抽出される前記リンクデータに基づいて前記関連データベースを検索して前記リンクデータと対応付けられている前記関連データを入手する関連データ入手手段とを備えている。
【００４８】
また、本発明による端末装置は、放送波を受信することが可能なエリアであるか否かを検知する受信可能エリア検知手段と、前記放送波を受信する放送波受信手段と、前記放送波受信手段により受信される前記放送波が用いられる放送の放送データから関連データへのリンクデータを取得するリンクデータ取得手段と、前記リンクデータ取得手段により取得される前記リンクデータに基づいて、前記関連データをその関連データへの前記リンクデータと対応付けて登録している関連データベースを検索して前記リンクデータと対応付けられている前記関連データを取得する関連データ取得手段と、前記関連データ取得手段により取得される前記関連データを表示する関連データ表示手段とを備えている。
【００４９】
また、本発明による端末装置は、放送波を受信することが可能なエリアであるか否かを検知する受信可能エリア検知手段と、前記放送波を受信する放送波受信手段と、前記放送波受信手段により受信される前記放送波が用いられる前記放送の放送データから前記関連データへのリンクデータを解析するために用いられる前記関連データへのリンクデータを含む基礎データを取得する基礎データ取得手段と、前記基礎データ取得手段により取得される前記基礎データを前記放送提供装置に送信する前記基礎データ送信手段と、前記基礎データを解析して抽出される前記リンクデータに基づいて、前記関連データをその関連データへの前記リンクデータと対応付けて登録している関連データベースを検索して入手される前記リンクデータと対応付けられている前記関連データを受信する関連データ受信手段と、前記関連データ受信手段により受信される前記関連データを表示する関連データ表示手段とを備えている。
【００５０】
また、本発明による端末装置は、さらに、前記放送波受信手段により受信した前記放送波が用いられる前記放送の放送内容データ、前記リンクデータ取得手段により取得した前記リンクデータおよび前記関連データ取得手段により取得した前記関連データの少なくとも１つをそれらの前記放送内容データ、前記リンクデータおよび前記関連データを特定するための識別データおよびそれらのデータを取得したユーザのユーザ識別データ、時間データ、位置データの少なくとも１つと対応付けて登録するための履歴データベースと、前記放送内容データ、前記リンクデータ、前記関連データ、前記識別データ、前記ユーザ識別データ、前記時間データおよび前記位置データを前記履歴データベースに登録する履歴データ登録手段と、前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、前記履歴検索手段により取得される前記放送内容データ、前記リンクデータ、前記関連データ、前記ユーザ識別データ、前記時間データおよび前記位置データの少なくとも１つを再生する再生手段とを備えていることを特徴とする。
【００５１】
また、本発明による端末装置は、さらに、前記関連データ表示手段により表示される前記関連データを閲覧した前記ユーザがその関連データへの応答を行うための返信情報を送信する返信情報送信手段を備えていることを特徴とする。
【００５２】
また、本発明による端末装置は、前記受信可能エリア検知手段は、前記放送波の電波強度情報に基づいて前記放送波を受信することが可能なエリアであるか否かを検知することを特徴とする。
【００５３】
また、本発明による端末装置は、前記受信可能エリア検知手段は、前記端末装置の位置データに基づいて前記放送波を受信することが可能なエリアであるか否かを検知することを特徴とする。
【００５４】
また、本発明による端末装置は、さらに、前記放送波受信手段により前記放送波を受信する際および／または関連データ取得手段により前記関連データを取得する際に、前記放送波が用いられる前記放送のデータおよび／または前記関連データのデータとともに入手した放送波出力装置の位置データと、任意の時点における前記端末装置の位置データに基づいて前記放送波出力装置と前記端末装置の位置関係情報を表示する位置関係表示手段を備えていることを特徴とする。
【００５５】
また、本発明による端末装置は、さらに、前記放送波受信手段により受信される前記放送波が用いられる前記放送の放送内容を表示する放送内容表示手段を備えていることを特徴とする。
【００５６】
また、本発明によるセンタ装置は、放送波を受信可能な所定のエリアデータと、放送波が用いられる放送の放送内容データおよび／または放送時間データを受信する放送詳細データ受信手段と、前記放送詳細データ受信手段により受信した前記エリアデータと、前記放送内容データおよび／または前記放送時間データをそれぞれ対応付けて登録するための放送詳細データベースと、ユーザが入力する前記エリアデータ、前記放送内容データおよび前記放送時間データの少なくとも１つに基づいて、検索していかなるエリアでどのような放送内容および／または放送時間で前記放送波を受信することが可能であるかに関する情報を入手することができるように前記エリアデータと、前記放送内容データおよび／または前記放送時間データを前記放送詳細データベースに登録する放送詳細データ登録手段とを備えている。
【００５７】
また、本発明によるセンタ装置は、さらに、前記放送波が用いられる前記放送の放送内容データ、前記リンクデータおよび前記関連データの少なくとも１つをそれらの前記放送内容データ、リンクデータおよび関連データを特定するための識別データおよびそれらのデータを取得したユーザのユーザ識別データ、時間データ、位置データの少なくとも１つと対応付けて登録するための履歴データベースと、前記放送内容データ、前記リンクデータ、前記関連データ、前記識別データ、前記ユーザ識別データ、前記時間データおよび前記位置データを前記履歴データベースに登録する履歴データ登録手段と、前記ユーザが入力する前記識別データに基づいて前記履歴データベースを検索して該当する前記放送内容データ、前記リンクデータ、前記関連データ、前記ユーザ識別データ、前記時間データおよび前記位置データの少なくとも１つを取得する履歴検索手段と、前記履歴検索手段により取得される前記放送内容データ、前記リンクデータ、前記関連データ、前記ユーザ識別データ、前記時間データおよび前記位置データの少なくとも１つを再生する再生手段とを備えていることを特徴とする。
【発明の効果】
【００５８】
本発明の情報提供システム、情報提供方法および端末装置によれば、ユーザは、所定の範囲にのみ放送される放送波からリンクデータを取得し、端末装置にリンクデータを入力することなく、放送内容を入り口として、その放送内容に関連するより詳細な情報を、リンクデータを用いてネットワーク上から自動的に取得して閲覧することにより当該詳細な情報を煩雑な作業を必要としなく簡易に入手することができる。
【００５９】
本発明の放送提供装置によれば、ユーザは、放送波からリンクデータを取得し、放送内容を入り口として、その放送内容に関連するより詳細な情報を、リンクデータを用いてデータベースより自動的に取得することができる。
【００６０】
本発明のセンタ装置によれば、ユーザは、いかなるエリアでどのような放送内容および／または放送時間で放送波を受信することが可能であるかに関する情報を入手することができる。
【発明を実施するための最良の形態】
【００６１】
以下、本発明の実施の形態について、図面を参照して説明する。なお、用語の意味の解釈に疑義をもたらさぬように、ここでは、「情報提供者」とは、レストランのテレビＣＭの放送を流して、そのＣＭからリンクするさらに詳細な情報であるレストランのメニューの種類および価格等の情報を掲示するＷｅｂページを作成してユーザに提供するそのレストランの店長あるいは店長からの依頼によりこれらの情報を作成するサービス会社等をさすものと定義する。また、「ユーザ」とは、レストランの近くを通りがかり端末装置によりそのレストランのＣＭ放送を受信して、興味のあるレストランのメニューをＷｅｂページで閲覧してそのレストランで食事をする行楽者等をさすものと定義する。
【００６２】
図１に示すように、上記情報提供システムは、放送波出力装置１、その放送波出力装置１に接続されている放送提供装置２および端末装置３から構成されており、放送提供装置２と端末装置３とがネットワーク１００を介して接続されている。
【００６３】
放送波出力装置１は、好適には情報提供者の店舗等あるいはその近傍に設置されている装置であるが、離れた位置に設置されていてもよい。放送波出力装置１の放送波出力部は、放送波出力装置１の設置場所から、例えば、半径数キロメートル等の所定のエリアに届く放送波を出力する。例えば、ＵＨＦトランスミッタ、広域ネットワークのページャ基地局、ＰＨＳ基地局、携帯電話機に関する小型基地局、ワイヤレスＬＡＮ（Local Area Network）のホットスポットまたはＲＦＩＤ（Radio Frequency IDentification）リーダ等であってもよい。また、放送波の経路としては、例えば、無線通信に関するＵＷＢ（Ultra Wide Band）または携帯電話機の文字メッセージ送受信サービスに関するＳＭＳ（Short Message Service）あるいは携帯電話機のトランシーバモードの規格に則った送信経路等を含む。
【００６４】
放送提供装置２は、情報提供者の店舗等に設置されている放送波出力装置１の動作を制御する機能を有する情報処理装置である。例えば、パーソナルコンピュータ等を含む。
【００６５】
端末装置３は、ユーザが使用する情報処理装置であり、例えば、パーソナルコンピュータ、携帯電話機、ＰＨＳ（簡易型携帯電話）および携帯情報端末を含む。また、端末装置３の通信手段は、有線または無線のいずれであってもよく、例えば、無線ＬＡＮ通信、Bluetoothおよび赤外線通信等を含む。
【００６６】
ネットワーク１００は、任意のネットワークであってよく、例えば、インターネット、キャリアの閉域網、イントラネットまたは放送網等を含む。
【００６７】
図２は、放送提供装置２および端末装置３の構成を示す図である。図２に示すように放送提供装置２は、関連データベース２１と、関連データ登録部２２を備えている。また、端末装置３は、受信可能エリア検知部３１と、放送波受信部３２と、リンクデータ取得部３３と、関連データ取得部３４と、関連データ表示部３５を備えている。
【００６８】
なお、端末装置３が携帯電話機である場合には、一例として、アンテナが受信可能エリア検知部３１および放送波受信部３２に相当し、所定の処理を実行する内蔵されているＣＰＵがリンクデータ取得部３３および関連データ取得部３４に相当し、液晶ディスプレイが関連データ表示部３５に相当する。
【００６９】
図３は、関連データベース２１に登録する関連データおよびその関連データへのリンクデータの構成の一例を示す図である。図３に示すように関連データ３０２は、その関連データへのリンクデータ３０１と対応付けられて登録されている。これにより、１つのリンクデータ３０１に基づいて１つの関連データ３０２を取り出すことが可能となる。また、複数のリンクデータ３０１と１つの関連データ３０２を結び付けて登録してもよい。この場合であっても、１つのリンクデータ３０１から１つの関連データ３０２を取得することが可能である。
【００７０】
放送提供装置２の関連データ登録部２２は、放送提供装置２のデータ受付インターフェースから関連データ３０２およびリンクデータ３０１を受け付け、それぞれ関連データベース２１に登録する。なお、登録のみでなく更新も行うこととしてもよい。
【００７１】
ここで、関連データ３０２は、例えばＷｅｂページに関するものであり、その場合には、リンクデータ３０１はそのＷｅｂページへアクセスするためのＵＲＬに関するものであってもよい。また、関連データ３０２が、音声案内に関するものである場合には、リンクデータ３０１は電話番号に関するものであってもよい。さらに、関連データ３０２が、詳細な情報が記載されているファイルである場合には、リンクデータ３０１は電子メールアドレスに関するものであってもよい。
【００７２】
上記の構成からなる放送提供装置２は、ＣＰＵ、メモリ、データ受付インターフェース、入出力装置および外部記憶装置等を備える周知の単一または複数のコンピュータシステム上に実現される。
【００７３】
また、放送提供装置２の関連データ登録部２２は、上記のＣＰＵがメモリに読み込まれた所定の命令を実行することにより処理ルーチンとして具体化される。なお、所定の命令は、外部記憶装置やネットワーク上等から読み込まれてもよい。さらに、関連データベース２１は、メモリや外部記憶装置等が用いられ具体化される。
【００７４】
以上のように構成された本実施形態における情報提供システムの動作の詳細について、図４〜図９に基づいて説明する。図４は、放送提供装置２による関連データおよびリンクデータ登録処理のフローチャートであり、図５は、端末装置３による受信した放送からのリンクデータ入手処理のフローチャートであり、図６は、端末装置３によるリンクデータからの関連データ取得処理のフローチャートである。以下、フローチャートの各ステップについて「Ｓ」と略記する。
【００７５】
まず、放送提供装置２による関連データおよびリンクデータ登録処理について、図４を参照して説明する。
【００７６】
情報提供者である商店あるいは企業等において、放送したい放送内容と、その放送内容に関する関連データ３０２と、その関連情報へアクセスするためのリンクデータ３０１の詳細が決定されると、例えば、新規データ登録画面を放送提供装置２に表示させ、放送提供装置２のデータ受付インターフェースから操作者による関連データ３０２およびリンクデータ３０１の入力を受け付ける（Ｓ４０１）。
【００７７】
そして、関連データ登録部２２は、受け付けた関連データ３０２およびリンクデータ３０１を相互に関連付けて関連データベース２１に登録する（Ｓ４０２）。ここで、関連データベース２１に登録される関連データ３０２は、暗号化されてもよい。これにより、ユーザが関連情報を取得する際に関連データが改ざんあるいは盗まれるおそれが低減されて、セキュリティを高めることができる。
【００７８】
次に、端末装置３による受信した放送からのリンクデータ入手処理について、図５を参照して説明する。
【００７９】
受信可能エリア検知部３１は、放送波出力装置１から出力される所定のエリアにのみ届く放送波を受信可能な位置に自機端末装置３が存在しているか否かを検知する（Ｓ５０１）。ここで、検知方法としては、例えば、アンテナ等の検知器を用いて放送波の電波強度を検知し、電波強度が所定の強度以上の場合に受信可能であるとする方法がある。この方法によれば直接放送波を受信することにより、受信可能エリアの境界線となる最も距離が離れた位置から受信を開始することができる。その他の方法として、端末装置３にＧＰＳ（Global Positioning Systems）機能を搭載して自機端末装置３の位置情報を把握し、その位置情報に基づいて、その位置から受信可能な放送波を出力している近傍の放送波出力装置１の位置情報が予め登録されているデータベースを検索して、その位置から受信可能な放送波を出力している近傍の放送波出力装置１を検出する方法がある。なお、端末装置３の位置情報は、端末装置３の中継機または基地局となる装置の位置情報から把握することとしてもよい。これらの方法によれば、自機の位置情報から受信可能な放送を正確に特定することができ、ユーザは放送を受信するか否かの意思決定に役立てることができる。
【００８０】
放送波出力装置１から出力される放送波を受信可能な位置に自機端末装置３が存在しているか否かを判定し（Ｓ５０２）、存在する場合には、放送波受信部３２は、放送波出力装置１から出力される所定のエリアにのみ届く放送波を受信する（Ｓ５０３）。一方、放送波を受信可能な位置に自機端末装置３が存在しない場合には、検知するルーチンであるステップ５０１に戻る。
【００８１】
ここで、受信される放送波が用いられる放送とは、小電力でテレビ放送ないしはラジオ放送と同様の電波を用いて動画、静止画、文字、音声または所定のデータを送ることをいう。また、視覚により認識されないデータのみを送ってもよい。なお、放送は、公共放送とは異なり所定のエリアにのみ送られる。所定の時間、例えば３０分間は静止画であり、その後動画が放送されることの繰り返しであってもよい。放送自体が宣伝用のＣＭ等を構成していても、テレビ番組等の中のＣＭ等であってもいずれでもよい。また、放送チャンネルは、単一でも複数であってもよいが、複数の場合には、放送波受信部３２は、常に固定された放送チャンネルのみの放送波を受信することであっても、チューナにより選択された放送チャンネルの放送波を受信することであってもよい。また、限られたチャンネルリソースを効率的に利用するために、複数の放送内容がローテーションで放送されたり、１つのチャンネルを複数の地域に位置する放送波出力装置１でシェアして放送することとしてもよい。
【００８２】
放送波受信部３２は、予め受信を希望する放送内容に関する条件を設定しておき、所望の放送波のみを受信したり、ＹＥＳ／ＮＯボタンを設けておきＹＥＳが選択されているすべての端末装置３に一斉送信される放送波を受信してもよい。これにより、特定の端末装置３にのみ有意義で、他の端末装置３にはなんら作用を及ぼさない無意味な放送を送ることで他のユーザになんら影響を与えることなく特定のユーザにのみリンクデータ３０１ないしは関連データ３０２を取得させることができる。
【００８３】
さらに、テーマパーク等においてアトラクションの混雑状況を常時監視するために、端末装置３としての専用端末に、フェリカ等の機能を搭載しておき、アトラクションの入場口で専用端末のデータを読込ませるとともに、そのアトラクションの放送波出力装置１からの混雑状況データを含む放送波を受信する態様であってもよい。
【００８４】
また、放送波受信部３２が受信した放送波が用いられる放送は、例えば、図７に示すように、放送内容表示部３６により画面に表示されてもよい。これにより、ユーザが視覚で放送内容を把握することができ、関連データを取得する必要があるか否かの判断を的確に行うことができる。ここで、放送内容表示部３６は、関連データ表示部３５と同一の液晶ディスプレイ等であってもよい。受信した放送の表示方法は、例えば、図８に示すように、画面の所定の下部領域に静止画あるいはテロップ形式等でリンクデータ３０１が表示され、その他の上部領域に動画等が表示されてもよい。
【００８５】
リンクデータ取得部３３は、放送波受信部３２により受信した放送波が用いられている放送の放送データから関連データ３０２へアクセスするためのリンクデータ３０１を取得する（Ｓ５０４）。放送内容の動画データ等へのリンクデータ３０１の組込みは、動画等の映像中にリンクデータ３０１の文字を重畳表示することであっても、また画像データをデジタル処理することにより画像データにリンクデータ３０１を潜ませることによってもよい。また、放送内容の動画データ等へのリンクデータ３０１の組込処理のタイミングは、放送内容である動画等の製作時であっても、放送波出力装置１により放送波が出力されて放送がなされる時であってもいずれでもよい。
【００８６】
リンクデータ取得部３３のリンクデータ３０１の取得方法としては、受信した放送全体のデータあるいは、図７に示すようなポインタ７０を用いてユーザの操作により指定された一画像データに関して、画像データを既知のデジタル処理手法により分析する方法があり、例えば、「ｈｔｔｐ：」等の予約語を含むか否かを判定する手法や所定のボタンの押下げによりディスプレイに表示された画像をキャプチャしてＯＣＲ（Optical Character Reader）機能により自動的に文字を分析する手法が適用されてもよい。また、リンクデータ３０１は、１つの画像データに対して１つであっても、画像がスポーツ選手等であり、その人物の帽子、服、靴および用具別にリンクデータ３０１が埋め込まれていてもよく、ユーザがクリック等により指定した画像データの座標位置に基づいて座標位置情報とリンクデータ３０１を対応させて登録しているデータベースを検索して抽出する方法であってもよい。さらに、受信した放送が画面の所定の下部領域に静止画あるいはテロップ形式等でリンクデータ３０１が表示される態様である場合には、所定のボタンの押下げにより該当する領域のリンクデータ３０１を取得する方法であってもよい。リンクデータ３０１を送信するタイミングを知らせるアラームを放送に含ませてユーザの注意を喚起することとしてもよい。また、放送が視覚により認識されないデータあるいは所定の文字列等の意味を認識することができないデータを送っている場合には、リンクデータ取得部３３がユーザの操作を介すことなく自動的にリンクデータ３０１を取得してもよい。その場合において、所定の機構あるいは処理によりリンクデータ３０１を取得することが許可されている端末装置３のリンクデータ取得部３３のみが自動的にリンクデータ３０１を取得することであってもよい。これにより、リンクデータ３０１を取得することが許可されている特定の端末装置３以外の端末装置３には、その端末装置３が放送波を受信可能な位置に存在していてもリンクデータ３０１を取得することができないため、その放送はなんら作用を及ぼさない無意味なものとなる。
【００８７】
また、リンクデータ３０１は、放送波により放送内容の動画データ等とシリアル伝送されてもよく、また複数の回線を用いてパラレル伝送されてもよい。さらに、リンクデータ３０１を送信するタイミングを知らせるアラームを放送に含ませてユーザの注意を喚起することとしてもよい。
【００８８】
次に、端末装置３によるリンクデータからの関連データ取得処理について、図６を参照して説明する。
【００８９】
関連データ取得部３４は、リンクデータ取得部３３で取得されたリンクデータ３０１を放送提供装置２に送信する（Ｓ６０１）。リンクデータ３０１を放送提供装置２に送信するタイミングは、ユーザの所定の操作によっても、また関連データ取得部３４がユーザの操作を介すことなく自動的に送信することであってもよい。
【００９０】
そして、放送提供装置２は、関連データ取得部３４から送信されたリンクデータ３０１を受信し（Ｓ６０２）、そのリンクデータ３０１に基づいて関連データベース２１に一致するリンクデータ３０１が登録されているか否かを検索する（Ｓ６０３）。
【００９１】
一致するリンクデータ３０１が登録されていない場合には、所定のエラーメッセージを端末装置３の関連データ表示部３５に表示させて処理を終了することとしてもよい（Ｓ６０４）。一方、一致するリンクデータ３０１が登録されている場合には、そのリンクデータ３０１と対応付けられて登録されている関連データ３０２を取得し、その関連データ３０２を端末装置３に送信する（Ｓ６０５）。
【００９２】
端末装置３の関連データ取得部３４は、放送提供装置２から送信された関連データ３０２を受信し（Ｓ６０６）、その関連データ３０２を、例えば、図９に示すように関連データ表示部３５に表示する（Ｓ６０７）。表示部３５には、取得した関連データ３０２である静止画あるいは動画等であるＷｅｂページやテレビ電話画面が表示されてもよく、またユーザが設問に回答するための選択肢が表示される態様であってもよい。さらに、関連データ表示部３５と放送内容表示部３６とが同一のディスプレイ等により実現されている場合には、関連データ３０２と放送内容がそれぞれ画面の左右、上下あるいは端部に縮小され分割して表示されてもよい。
【００９３】
表示部３５に表示された画面等の利用方法としては、情報提供者の店舗等で利用可能なクーポン等がある。放送中のごく一瞬の画像に埋め込まれているリンクデータ３０１を取得することができたユーザのみがクーポンを入手できるようにしておき、福引き類似の手法により情報提供者は集客を図ることもできる。また、例えば、首都圏に存在するデパートの複数の店舗の放送をそれぞれ受信して、すべての店舗に立ち寄った証明となる関連データ３０２を収集することができたユーザに対して景品を進呈する等のスタンプラリー類似の手法により情報提供者は集客を図ることもできる。
【実施例１】
【００９４】
以下、本発明の第一の実施例である情報提供システムについて、図面を参照して説明する。端末装置３が、放送内容である画像データ等からリンクデータ３０１の解析を行うのではなく、放送提供装置２がリンクデータ３０１の解析を行う場合において上記の実施の形態と同様の情報提供機能を実現するものである。
【００９５】
放送提供装置２の実質的な構成は、図２を参照して説明した上記の実施の形態と同様であるが、関連データベース２１と、関連データ登録部２２と、さらに基礎データ受信部２３と、リンクデータ解析部２４と、関連データ入手部２５を備えている。また、端末装置３の実質的な構成も、図２を参照して説明した上記の実施の形態と同様であるが、受信可能エリア検知部３１と、放送波受信部３２と、関連データ取得部３４と、関連データ表示部３５と、さらに基礎データ取得部３７と、基礎データ送信部３８を備えている。
【００９６】
次に、本実施例の情報配信システムにおけるリンクデータ３０１を解析し関連データ３０２を取得する処理について、図１０を参照して説明する。なお、放送提供装置２が、関連データ登録部２２により関連データ３０２およびリンクデータ３０１を関連データベース２１に登録し（Ｓ４０１、Ｓ４０２）、端末装置３が、受信可能エリア検知部３１により放送を受信可能なエリアであるか否かを検知し、放送波受信部３２により放送を受信する（Ｓ５０１〜Ｓ５０３）までの処理は、上記の実施の形態と同様である。
【００９７】
端末装置３の基礎データ取得部３７は、放送波受信部３２により受信した放送波が用いられている放送の放送データから関連データ３０２へアクセスするためのリンクデータ３０１を含む基礎データ３０３を取得する（Ｓ１００１）。ここで、基礎データ３０３とは、例えば、ユーザが所定のボタンの押下げによりキャプチャした放送内容の動画データ等のうちディスプレイに表示されたリンクデータ３０１を含む一画面データ等である。
【００９８】
端末装置３の基礎データ送信部３８は、基礎データ取得部３７により取得した基礎データ３０３を、放送提供装置２の基礎データ受信部２３に送信し（Ｓ１００２）、放送提供装置２の基礎データ受信部２３は、その送信された基礎データ３０３を受信する（Ｓ１００３）。
【００９９】
放送提供装置２のリンクデータ解析部２４は、受信した基礎データ３０３を解析して関連データ３０２へアクセスするためのリンクデータ３０１を抽出する（Ｓ１００４）。解析方法としては、上記の実施の形態における、リンクデータ取得部３３のリンクデータ３０１の取得方法と同様の方法が適用可能である。
【０１００】
放送提供装置２の関連データ入手部２５は、リンクデータ解析部２４により解析されたリンクデータ３０１に基づいて関連データベース２１に一致するリンクデータ３０１が登録されているか否かを検索する（Ｓ１００５）。
【０１０１】
一致するリンクデータ３０１が登録されていない場合には、所定のエラーメッセージを端末装置３の関連データ表示部３５に表示させて処理を終了することとしてもよい（Ｓ１００６）。一方、一致するリンクデータ３０１が登録されている場合には、そのリンクデータ３０１と対応付けられて登録されている関連データ３０２を取得し、その関連データ３０２を端末装置３に送信する（Ｓ１００７）。
【０１０２】
端末装置３の関連データ取得部３４は、放送提供装置２から送信された関連データ３０２を受信し（Ｓ１００８）、その関連データ３０２を、関連データ表示部３５に表示する（ＳＳ１００９）。
【０１０３】
上記実施例によれば、端末装置３側に受信した放送データからリンクデータを解析するための複雑な機構を設ける必要がなく、製造コストの低減を図ることができ、また障害発生リスクも低減することが可能である。そして、ユーザは、放送内容を入り口として、その放送内容に関連するより詳細な情報等を、放送提供装置２側で解析されたリンクデータを用いて自動的に取得して閲覧することができる。
【実施例２】
【０１０４】
以下、本発明の第二の実施例である情報提供システムについて、図面を参照して説明する。センタ装置４に、放送に先立ち予め、検索可能に放送内容等のデータを登録しておき、上記の実施の形態あるいは実施例１と同様の情報提供機能を実現するものである。
【０１０５】
放送提供装置２の実質的な構成は、図２を参照して説明した上記の実施の形態あるいは実施例１と同様であるが、放送詳細データ送信部２６を備えている。また、端末装置３の実質的な構成も、図２を参照して説明した上記の実施の形態あるいは実施例１と同様であるが、放送詳細データ入手部３９を備えている。
【０１０６】
センタ装置４は、各放送提供装置２および各端末装置３を集中して管理する機能を有する情報提供者の店舗等に設置されている情報処理装置である。例えば、ワークステーション等を含む。
【０１０７】
図１１は、センタ装置４の構成を示す図である。図４に示すようにセンタ装置４は、放送詳細データベース５１と、放送詳細データ受信部５２と、放送詳細データ登録部５３を備えている。
【０１０８】
図１２は、放送詳細データベース５１に登録する放送内容等のデータの構成の一例を示す図である。図１２に示すようにエリアデータ１２０１は、放送内容データ１２０２および放送時間データ１２０３と対応付けられて登録されている。すべてのデータ項目が必ずしも登録されていなくてもよい。また、放送内容のジャンル等のデータ項目が登録されていてもよい。
【０１０９】
次に、本実施例の情報配信システムにおける、登録されている放送内容データ１２０２等を検索して取得する処理について、図１３を参照して説明する。なお、放送提供装置２および端末装置３の図４、図５、図６あるいは図１０における処理は、上記の実施の形態あるいは実施例１と同様である。
【０１１０】
情報提供者である商店あるいは企業等において、放送したい放送内容と、その放送時間および放送エリアの詳細が決定されると、放送提供装置２の放送詳細データ送信部２６は、エリアデータ１２０１、放送内容データ１２０２および放送時間データ１２０３をセンタ装置４に送信する（Ｓ１３０１）。
【０１１１】
そして、センタ装置４の放送詳細データ受信部５２は、受信したエリアデータ１２０１、放送内容データ１２０２および放送時間データ１２０３を相互に関連付けて放送詳細データベース５１に登録する（Ｓ１３０２）。ここで、放送詳細データベース５１に登録される各データは、暗号化されてもよい。これによりセキュリティを高めることができる。なお、センタ装置４とは別個の時間割サーバ等にエリアデータ１２０１、放送内容データ１２０２および放送時間データ１２０３等が登録され、管理されていてもよい。
【０１１２】
そして、端末装置３の放送詳細データ入手部３９は、ユーザが入力するエリアデータ１２０１、放送内容データ１２０２および放送時間データ１２０３の少なくとも１つに関するキーワードに基づいて、センタ装置４の放送詳細データベース５１に一致するデータが登録されているか否かを検索する（Ｓ１３０３、Ｓ１３０４）。
【０１１３】
一致するデータが登録されていない場合には、所定のエラーメッセージを端末装置３の関連データ表示部３５に表示させて処理を終了することとしてもよい（Ｓ１３０５）。一方、一致するデータが登録されている場合には、そのデータおよび対応付けられて登録されている他のエリアデータ１２０１、放送内容データ１２０２および放送時間データ１２０３を取得し、それらのデータを端末装置３にて入手する（Ｓ１３０６）。これにより、ユーザは、所望の放送をいかなるエリアでどのような放送内容をどの放送時間で受信することが可能であるかを予め知得することができる。
【０１１４】
ステップ１３０６で入手されたデータは、端末装置３の位置データおよびエリアデータ１２０１に基づいて端末装置３の現在地から閲覧可能な放送チャンネルが検索された場合には、その現在地から何ｍ以内にどのような受信可能な放送が存在するか等が距離の近い順に検索結果として端末装置３に一覧表示あるいは所定の地図上にマッピングして表示されることであってもよい。
【０１１５】
また、端末装置３からセンタ装置４の放送詳細データベース５１への問合せに際して、ユーザ認証を行うこととし、ユーザＩＤ等の識別情報に基づいてユーザ毎の問合せ履歴をデータベースにより管理して、情報提供者側で分析あるいはマーケティングに活用することができる。
【０１１６】
また、センタ装置４が関連データベース２１に登録されている関連データ３０２であるＷｅｂページ等の内容を把握して保存し、例えば、端末装置３からユーザが「味噌ラーメン」というキーワードを入力すると、「味噌ラーメン」を内容とする関連データ３０２を持つ放送チャンネルの一覧が表示されてもよい。これにより、ユーザの利用目的にきめ細かく対応することが可能となる。
【０１１７】
上記実施例によれば、ユーザは、過去においていつ、どこでどのような放送内容が放送されたのか、あるいは将来においてこれからどのような放送がなされるのかを知ることができ、受動的・偶然的でなく自らの自発的な選択により嗜好に応じた放送を受信し、その放送内容に関連するより詳細な情報をリンクデータを介して自動的に取得して閲覧することができる。
【実施例３】
【０１１８】
以下、本発明の第三の実施例である情報提供システムについて、図面を参照して説明する。センタ装置４に、検索可能にユーザが過去に受信した放送内容等のデータを登録しておき、上記の実施の形態、各実施例と同様の情報提供機能を実現するものである。
【０１１９】
放送提供装置２および端末装置３の実質的な構成は、図２を参照して説明した上記の実施の形態、各実施例と同様であり、また、センタ装置４の実質的な構成も、図２を参照して説明した上記の実施の形態、各実施例と同様であるが、履歴データベース５４と、履歴データ登録部５５と、履歴検索部５６と、再生部５７を備えている。
【０１２０】
図１４は、履歴データベース５４に登録する放送内容等のデータの構成の一例を示す図である。図１４に示すように放送内容データ１４０１、リンクデータ３０１、関連データ３０２の少なくとも１つを放送内容データ１４０１を特定するための識別データ１４０２、リンクデータ３０１を特定するための識別データ１４０３、関連データ３０２を特定するための識別データ１４０４および放送内容データ１４０１、リンクデータ３０１、関連データ３０２を取得したユーザのユーザ識別データ１４０５、時間データ１４０６、位置データ１４０７の少なくとも１つと対応付けて登録する。また、放送内容のジャンル等のデータ項目が登録されていてもよい。
【０１２１】
次に、本実施例の情報配信システムにおける、登録されている放送内容データ１４０１等を検索して取得する処理について、図１５を参照して説明する。なお、放送提供装置２および端末装置３の図４、図５、図６あるいは図１０における処理は、上記の実施の形態あるいは各実施例と同様である。
【０１２２】
ユーザが、端末装置３により放送を受信し、リンクデータ３０１あるいは関連データ３０２を利用すると、センタ装置４の履歴データ登録部５５は、放送内容データ１４０１、リンクデータ３０１、関連データ３０２と、識別データ１４０２、識別データ１４０３、識別データ１４０４、ユーザ識別データ１４０５、時間データ１４０６および位置データ１４０７を相互に関連付けて履歴データベース５４に登録する（Ｓ１５０１）。なお、センタ装置４とは別個のこれらのデータが登録され、管理されていてもよい。
【０１２３】
そして、センタ装置４の履歴検索部５６は、ユーザが入力する識別データ１４０２、識別データ１４０３、識別データ１４０４、ユーザ識別データ１４０５、時間データ１４０６および位置データ１４０７の少なくとも１つに関するキーワードに基づいて、センタ装置４の履歴データベース５４に一致するデータが登録されているか否かを検索する（Ｓ１５０２、Ｓ１５０３）。
【０１２４】
一致するデータが登録されていない場合には、所定のエラーメッセージを端末装置３の関連データ表示部３５に表示させて処理を終了することとしてもよい（Ｓ１５０４）。一方、一致するデータが登録されている場合には、そのデータおよび対応付けられて登録されている他のデータを取得し、それらのデータを再生する（Ｓ１５０５）。これにより、ユーザは、例えば、数日後に第三者から口コミで入手した情報に基づいて、過去に利用された放送内容、リンクデータあるいは関連データを知得することができる。
【０１２５】
ステップ１５０５のデータの再生は、放送内容の動画データ等をセンタ装置４のＨＤＤ（Hard Disk Drive）等に記憶し、録画再生したり、また、端末装置３に表示されている動画を一旦停止した場合であっても中断時から動画が再開されてもよい。
【０１２６】
単に、放送の履歴を残すのみでは、一定時間経過後にユーザが思い出すことができない事態が発生するおそれがあるので、これを回避すべく同時に、例えば、店名等のコメント情報をユーザが入力して記録したり、また、端末装置３に、ユーザがどの時間にどの位置に存在していたかを所定の地図上にユーザのルートを再現してマッピング表示されることであってもよい。
【０１２７】
また、受信した放送のリンクデータの履歴は、放送を受信して表示している端末装置３の画面を切り替えると一覧表示されることであってもよい。なお、リンクデータは、ユーザのボタン押下操作により、または予め設定されている所定の条件を満たす放送について自動的に取得し、一定時間あるいは一定量を超えるまで保持され、その値を超えると消去されることであってもよい。
【０１２８】
また、センタ装置４でなく端末装置３が、履歴データベースと、履歴データ登録部と、履歴検索部と、再生部を備えていてもよく、さらにセンタ装置４および端末装置３のそれぞれが履歴データベースと、履歴データ登録部と、履歴検索部と、再生部を備えていてもよい。これによりユーザは、いつ、どこでどのような情報を閲覧したのかを自機の端末装置により容易に知ることができ、過去の行動パターンに基づいて放送内容、リンクデータおよび関連データを再度取得して閲覧することができる。
【０１２９】
上記実施例によれば、ユーザは、情報を受信した場所や時間を正確に特定することが困難な場合であっても、誰が、いつ、どこで、どのような情報を閲覧したのかを知ることができ、端末装置に履歴データの記憶および検索に必要な複雑な機構を設けることなく、過去の行動パターンに基づいて放送内容、リンクデータおよび関連データを再度取得して閲覧することができる。
【実施例４】
【０１３０】
以下、本発明の第四の実施例である情報提供システムについて説明する。端末装置３に、関連データ３０２を閲覧したユーザが放送提供装置２へ返信する機能をさらに加え、上記の実施の形態、各実施例と同様の情報提供機能を実現するものである。
【０１３１】
放送提供装置２およびセンタ装置４の実質的な構成は、図２を参照して説明した上記の実施の形態、各実施例と同様であり、また、端末装置３の実質的な構成も、図２を参照して説明した上記の実施の形態、各実施例と同様であるが、返信情報送信部４０を備えている。
【０１３２】
次に、本実施例の情報配信システムにおける、登録されている放送内容データ１４０１等を検索して取得する処理について説明する。
【０１３３】
放送提供装置２、端末装置３およびセンタ装置４における処理は、基本的に上記の実施の形態あるいは各実施例と同様である。ただし、端末装置３の返信情報送信部４０は、ユーザが、端末装置３の関連データ表示部３５に表示される関連データ３０２を閲覧して、その関連データ３０２への応答を行う場合には、返信情報を放送提供装置２に送信する。これにより、ユーザと情報提供者の双方向コミュニケーションが実現され、一方的な情報の送信でなくお互いが情報を発信し、相互間のフィードバックを図ることができる。
【０１３４】
例えば、デパートの地階に設置されているパン売場から、焼きたてのパンの販売が開始されるという放送が流されて、ユーザが端末装置３から焼きたてパンの予約を行う電子メールを送信することであってもよい。また、例えば、情報提供者がクイズ形式の質問を放送し、ユーザが端末装置３から１〜５の択一で回答を電子メールで送信することであってもよい。また、例えば、迷子案内所の情報提供者に、迷子の親であるユーザが端末装置３からテレビ電話機能を利用して迷子案内放送の依頼を行うことであってもよい。また、例えば、情報提供者がテレビショッピングについて受付電話番号とともに放送を行い、購入希望者であるユーザが端末装置３からリンクデータ３０１としての電話番号情報に基づいて電話番号を自動発信して注文を行うことであってもよい。また、例えば、予備校あるいは大学等において、講義案内または休講情報に関する放送を行い、受講者であるユーザが端末装置３から講義に対する評価情報を電子メールで送信することであってもよい。
【０１３５】
また、返信情報の送信を必ず所定の放送局等を中継して行うこととすれば、情報管理を行い、情報提供者の利益を害する悪質なユーザからの返信情報を排除して安全かつ円滑な双方向でのやりとりを実現することができる。
【０１３６】
上記実施例によれば、ユーザは、関連データを閲覧した後に、その関連データに基づいて情報提供者に対して自ら情報を発信して双方向コミュニケーションを行うことができる。
【実施例５】
【０１３７】
以下、本発明の第五の実施例である情報提供システムについて、図面を参照して説明する。端末装置３に、自機と放送波出力装置１との位置関係を表示する機能をさらに加え、上記の実施の形態、各実施例と同様の情報提供機能を実現するものである。
【０１３８】
放送波出力装置１、放送提供装置２およびセンタ装置４の実質的な構成は、図２等を参照して説明した上記の実施の形態、各実施例と同様であり、また、端末装置３の実質的な構成も、図２を参照して説明した上記の実施の形態、各実施例と同様であるが、位置関係表示部４１を備えている。
【０１３９】
次に、本実施例の情報配信システムにおける、端末装置３と放送波出力装置１の位置関係を把握して表示する処理について説明する。
【０１４０】
放送波出力装置１、放送提供装置２、端末装置３およびセンタ装置４における処理は、基本的に上記の実施の形態あるいは各実施例と同様である。ただし、端末装置３の位置関係表示部４１は、ユーザが、端末装置３により放送を受信する際および／または関連データ３０２を取得する際に、放送波出力装置１の位置データと、任意の時点における端末装置３の位置データに基づいて、例えば、図１６に示すように放送波出力装置１と端末装置３の位置関係を表示する。また、放送波出力装置１と端末装置３の距離および所要時間等を併せて表示することであってもよい。これにより、比較的狭いエリアで受信可能な放送を流す情報提供者は、その放送波出力装置１が設けられている店舗等にユーザを誘引するためにユーザの興味を引く放送内容とするため、ユーザは距離的な事情からその店舗等に立ち寄るか否かを判断したり、また、実際に立ち寄る場合にその経路を把握することが可能となり、情報提供者およびユーザ双方にとって有益である。
【０１４１】
放送波出力装置１の位置データは、放送波データに組み込まれていて、端末装置３が放送を受信する時点で表示されることであってもよい。これにより、ユーザは放送を受信しながらその放送を行っている放送波出力装置１の位置を知ることができる。また、放送波出力装置１の位置データは、リンクデータ３０１に組み込まれていて端末装置３がリンクデータ３０１を取得する際に併せて入手され、関連データ３０２を取得する時点で表示されることであってもよい。これにより、ユーザは関連データ３０２を閲覧して興味を持ち、訪れる可能性の高い時点で放送波出力装置１の位置を知ることができる。
【０１４２】
ユーザ側の端末装置３の位置データは、上記の受信可能エリア検知部３１のような機構により、ＧＰＳ機能等を用いて自機端末装置３の位置情報を把握し、表示されることであってもよい。
【０１４３】
また、放送波出力装置１と端末装置３の距離、経路および所要時間等は、両者の位置データに基づいて、既知の地図データベース等を用いて経度、緯度および高さ等の差異から計算あるいは決定されてもよい。なお、端末装置３への表示は、液晶ディスプレイの一部への表示であってもよく、またユーザの所定のボタン押下操作によりはじめて表示されることであってもよい。
【０１４４】
上記実施例によれば、ユーザは、自己の現在地と放送波出力装置が設置されている場所の位置関係を把握することができ、どのような経路で、どの程度の所要時間および距離でその場所に到着可能かを判断することができる。
【実施例６】
【０１４５】
以下、本発明の第六の実施例である情報提供システムについて説明する。情報提供装置２あるいは、センタ装置４にユーザの本システムの利用度あるいは集客度に応じた課金処理を行う機構を設けてもよい。これにより、情報提供者あるいはセンタ装置の管理サービス業者がシステムを運営する経済的利益を確保することができる。
【０１４６】
また、端末装置３にキャリアからモバイル網等を経由して端末装置３のソフトウエアのバージョンアップを行うことができる機構を設けてもよい。これにより、型番違いや、端末装置３のバージョンアップ等により放送を受信することができないという不具合を回避することができる。
【０１４７】
また、上記の実施の形態および各実施例における放送波出力装置１、情報提供装置２、端末装置３およびセンタ装置４の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【０１４８】
なお、上記の実施の形態および各実施例は、本発明の好適な実施の形態であり、本発明の要旨を逸脱しない範囲内において種々変更実施が可能である。例えば、美術館等における絵画鑑賞に際して、各絵画に放送波出力装置１を設けて絵画の説明等を放送したり、また、移動図書館あるいは石焼芋等の自動車を利用した移動販売等に利用したり、また、大道芸人が集客のために利用たり、また、どこの駐車場に空スペースがあるかを放送したり、また、配達可能地区へのケータリングサービスあるいは宅配サービスに利用したり、ラーメン屋等が実際の混み状況を放送する実施形態に適用可能である。
【０１４９】
また、上記の実施の形態あるいは各実施例では、放送波出力装置１、情報提供装置２およびセンタ装置４が別個の装置として接続されているシステム構成について説明したが、各機能が１つのコンピュータシステムとして実現されている構成や機能毎に複数のサーバ装置等が追加された構成にも適用可能であることはもちろんである。
【図面の簡単な説明】
【０１５０】
【図１】本発明の実施形態におけるシステムの構成を示す図である。
【図２】本発明の実施形態における放送提供装置および端末装置の機能を示すブロック図である。
【図３】本発明の実施形態における関連データベースのデータ構造を示す図である。
【図４】本発明の実施形態における放送提供装置の関連データおよびリンクデータ登録処理の動作を示すフローチャートである。
【図５】本発明の実施形態における端末装置の放送からのリンクデータ入手処理の動作を示すフローチャートである。
【図６】本発明の実施形態における端末装置のリンクデータからの関連データ取得処理の動作を示すフローチャートである。
【図７】本発明の実施形態における放送内容表示部に表示される画面の一例である。
【図８】本発明の実施形態における放送内容表示部に表示される画面の一例である。
【図９】本発明の実施形態における取得した関連データを表示する画面の一例である。
【図１０】本発明の実施例１における放送提供装置のリンクデータ解析処理の動作を示すフローチャートである。
【図１１】本発明の実施例２におけるセンタ装置の機能を示すブロック図である。
【図１２】本発明の実施例２における放送詳細データベースのデータ構造を示す図である。
【図１３】本発明の実施例２におけるセンタ装置の検索処理の動作を示すフローチャートである。
【図１４】本発明の実施例３における履歴データベースのデータ構造を示す図である。
【図１５】本発明の実施例３におけるセンタ装置の検索処理の動作を示すフローチャートである。
【図１６】本発明の実施例５における位置関係を表示する画面の一例である。
【符号の説明】
【０１５１】
１    放送波出力装置
２    放送提供装置
３    端末装置
１００    ネットワーク
【図１】
2005269171.tif 000003
【図２】
2005269171.tif 000004
【図３】
2005269171.tif 000005
【図４】
2005269171.tif 000006
【図５】
2005269171.tif 000007
【図６】
2005269171.tif 000008
【図７】
2005269171.tif 000009
【図８】
2005269171.tif 000010
【図９】
2005269171.tif 000011
【図１０】
2005269171.tif 000012
【図１１】
2005269171.tif 000013
【図１２】
2005269171.tif 000014
【図１３】
2005269171.tif 000015
【図１４】
2005269171.tif 000016
【図１５】
2005269171.tif 000017
【図１６】
2005269171.tif 000018